(57)【要約】【課題】ハンドリング及びセット作業性が良好で、外部からの衝撃に対する緩衝効果を有する化粧料容器用緩衝構造体を提供する。【解決手段】化粧料を収容する化粧料用中皿２を載置する底部１０と、化粧料用中皿２と接触する保持端部１１ａ，１１ｂを有し、保持端部１１ａ，１１ｂにより化粧料用中皿２を保持する複数の保持部１１と、底部１０と保持部１１とを連結する連結部１２とを備え、底部１０、保持部１１及び連結部１２は、連続する中空部１５を有する。【選択図】図１
2015126824.tif 000002
【特許請求の範囲】
【請求項１】
化粧料を収容する化粧料用中皿を載置する底部と、
該化粧料用中皿と接触する保持端部を有し、該保持端部により該化粧料用中皿を保持する複数の保持部と、
該底部と該保持部とを連結する連結部
とを備え、該底部、該保持部及び該連結部は、連続する中空部を有する化粧料容器用緩衝構造体。
【請求項２】
前記保持部は、１つ又は２つの前記保持端部を有する請求項１に記載の化粧料容器用緩衝構造体。
【請求項３】
前記保持端部は円筒形状であり、前記化粧料用中皿と接触する面が該円筒形状の曲面である請求項１又は２に記載の化粧料容器用緩衝構造体。
【請求項４】
前記保持端部は、前記化粧料用中皿を前記底部に載置した際に、前記化粧料用中皿の壁面の上下方向に突出する請求項１〜３のいずれかに記載の化粧料容器用緩衝構造体。
【請求項５】
前記保持端部は、前記化粧料用中皿の壁面上端を押し留める爪状の返し部が設けられている請求項１〜４のいずれかに記載の化粧料容器用緩衝構造体。
【請求項６】
前記保持部は、前記保持部が１つの前記保持端部を有する場合、前記底部の中心と前記保持端部の中心を通る中心線に対して左右対称となる位置に配置される請求項１〜５のいずれかに記載の化粧料容器用緩衝構造体。
【請求項７】
前記保持部は、前記保持部が２つの前記保持端部を有する場合、前記底部の中心と前記保持部の中心を通る中心線に対して左右対称となる位置に配置される請求項１〜５のいずれかに記載の化粧料容器用緩衝構造体。
【請求項８】
前記底部の周方向における前記連結部の幅は、２．０ｍｍ以上２０．０ｍｍ以下である請求項１〜７のいずれかに記載の化粧料容器用緩衝構造体。
【請求項９】
前記底部と前記化粧料用中皿の底面は相似形状であって、前記化粧料用中皿の該底面の外周からの前記底部の外周のオフセット量が０．５ｍｍ以上５．０ｍｍ以下である請求項１〜８のいずれかに記載の化粧料容器用緩衝構造体。
【請求項１０】
前記化粧料用中皿の底面と壁面でなす角部は、前記化粧料用中皿を前記底部に載置した際に、前記底部、前記保持端部を除く前記保持部及び前記連結部のいずれとも接触しない請求項１〜９のいずれかに記載の化粧料容器用緩衝構造体。
【請求項１１】
前記底部には、前記底部を連通する連通孔が設けられている請求項１〜１０のいずれかに記載の化粧料容器用緩衝構造体。
【請求項１２】
前記中空部には、液体及び／又は粉粒体が封入されている請求項１〜１１のいずれかに記載の化粧料容器用緩衝構造体。
【請求項１３】
前記化粧料容器用緩衝構造体の材料の硬度は、デュロメータ硬度（ＪＩＳ Ｋ６２５３−３）で、Ａ６０以上Ａ７５以下である請求項１〜１２のいずれかに記載の化粧料容器用緩衝構造体。
【請求項１４】
前記底部、前記保持部及び前記連結部は、同一材料である請求項１〜１３のいずれかに記載の化粧料容器用緩衝構造体。
【請求項１５】
請求項１〜１４のいずれかに記載の化粧料容器用緩衝構造体を収容する収容部と、該収容部の開閉を行う蓋部とを備える化粧料容器。
【請求項１６】
請求項１〜１４のいずれかに記載の化粧料容器用緩衝構造体をブロー成形により製造する化粧料容器用緩衝構造体の製造方法。
【発明の詳細な説明】
【技術分野】
【０００１】
本発明は、化粧料容器用緩衝構造体、化粧料容器及び化粧料容器用緩衝構造体の製造方法に関する。
【背景技術】
【０００２】
化粧料は、化粧料用中皿に充填しプレスすることによって固形化された状態や、化粧料を一旦揮発性の高い溶媒に溶かして化粧料用中皿に充填した後に揮発性溶媒を熱等により除去した状態で収容される。特に、化粧料用中皿が着脱可能な嵌合形式の化粧料容器（コンパクトケース）に装着される場合は、化粧料容器に衝撃が与えられた場合に、その衝撃が緩和されることなく化粧料用中皿に伝達される。そのため、化粧料容器を携帯しているときに衝撃を与えたり、落としたりすると、化粧料にひび割れが生じたり、欠けたりする可能性が高いという問題があった。割れたり、欠けたりした化粧料は、化粧料容器内を汚すばかりでなく、容器から化粧料を取り出しにくくなったり、化粧料容器から欠落してしまったりして好ましくない。
【０００３】
従来、化粧料容器の衝撃吸収に関しては、化粧料容器と化粧料用中皿との間に緩衝材シートを剥離不能に貼着し緩衝機能を持たせたもの、弾性部材を有する構造体により化粧料用中皿を保持して緩衝機能を持たせたもの、化粧料用中皿よりも小さい突起部を化粧料容器底部に形成して緩衝材を貼着したもの、容器本体と化粧料用中皿との間に球状のシリコーンゲルを介在させたもの、化粧料容器の内部に収容される化粧料用中皿が化粧料に対する衝撃を吸収する熱可塑性樹脂独立気泡発泡体からなるもの、化粧料容器の化粧料用中皿と収納凹所との間に衝撃緩衝機構を配置した化粧料容器の衝撃緩衝構造等の種々の手段が講じられている（例えば、特許文献１〜８参照。）。
しかしながら、従来の手段では、ゴムや発泡体等の柔らかい材料を用いていたため、ハンドリングが悪くなり、セット作業性が悪くなるという問題があった。また、化粧料を充填した化粧料中皿と化粧料容器との保持のためにホットメルトを用いていたため、不用意に指や机等に付着して不快な思いをすることがあった。また、レフィルでの販売時には、ケース付属の緩衝体とは別に真空成型品等をレフィルケースとして用意する必要があり、さらに、購入後は真空成型から取り外してから化粧料容器にセットし直す手間が生じていた。なお、化粧料中皿を取り出し後の真空成型品は廃棄されていた。
【先行技術文献】
【特許文献】
【０００４】
【特許文献１】実公昭６１−３１６９０号公報
【特許文献２】特開２００３−２３５６３６号公報
【特許文献３】特開２００６−５５２０４号公報
【特許文献４】特開２００７−２９２３４号公報
【特許文献５】特開２０１０−１３１１９８号公報
【特許文献６】特開２００７−２９２３４号公報
【特許文献７】特開２０１３−３４６７７号公報
【特許文献８】特開２０１０−１６６９７７号公報
【発明の概要】
【発明が解決しようとする課題】
【０００５】
そこで本発明は、上記問題の解決を鑑みたものであり、ハンドリング及びセット作業性が良好で、外部からの衝撃に対する緩衝効果を有する化粧料容器用緩衝構造体、化粧料容器及び化粧料容器用緩衝構造体の製造方法を提供することを課題とする。
【課題を解決するための手段】
【０００６】
本発明者らは、上記課題を解決するため新たな緩衝構造体を鋭意研究し、本発明に到達した。
本発明は、［１］化粧料を収容する化粧料用中皿を載置する底部と、該化粧料用中皿と接触する保持端部を有し、該保持端部により該化粧料用中皿を保持する複数の保持部と、該底部と該保持部とを連結する連結部とを備え、該底部、該保持部及び該連結部は、連続する中空部を有する化粧料容器用緩衝構造体、
［２］上記［１］に記載の化粧料容器用緩衝構造体を収容する収容部と、該収容部の開閉を行う蓋部とを備える化粧料容器、及び
［３］上記［１］に記載の化粧料容器用緩衝構造体をブロー成形により製造する化粧料容器用緩衝構造体の製造方法である。
【発明の効果】
【０００７】
本発明により、ハンドリング及びセット作業性が良好で、外部からの衝撃に対する緩衝効果を有する化粧料容器用緩衝構造体、化粧料容器及び化粧料容器用緩衝構造体の製造方法を提供することができる。
【図面の簡単な説明】
【０００８】
【図１】本発明の実施の形態に係る化粧料容器用緩衝構造体の概略斜視図である。
【図２】本発明の実施の形態に係る化粧料容器用緩衝構造体の中空部を示す概略断面図である。
【図３】本発明の実施の形態に係る化粧料容器用緩衝構造体であって、保持部に１つの保持端部を有する場合の保持端部の配置例を示す概略断面図である。
【図４】本発明の実施の形態に係る化粧料容器用緩衝構造体であって、保持部に２つの保持端部を有する場合の保持部及び保持端部の配置例を示す概略断面図である。
【図５】本発明の実施の形態に係る化粧料容器用緩衝構造体の保持端部を示す概略断面図である。
【図６】本発明の実施の形態に係る化粧料容器用緩衝構造体の保持端部及び返し部を示す概略断面図である。
【図７】本発明の実施の形態に係る化粧料容器用緩衝構造体の連結部における底部の周方向の幅を示すための概略平面図である。
【図８】本発明の実施の形態に係る化粧料容器用緩衝構造体の化粧料用中皿からの底部のオフセット量を示すための概略平面図である。
【図９】本発明の実施の形態に係る連通孔が設けられた化粧料容器用緩衝構造体の概略平面図及び概略断面図である。
【図１０】本発明の実施の形態に係る化粧料容器の斜視分解図である。
【図１１】本発明の実施の形態に係る化粧料容器に用いるアダプタと化粧料容器用緩衝構造体との着脱方法を示す概略工程図である。
【図１２】本発明のその他の実施の形態に係る化粧料容器用緩衝構造体の概略斜視図である。
【発明を実施するための形態】
【０００９】
（化粧料容器用緩衝構造体）
本発明の実施の形態に係る化粧料容器用緩衝構造体１ａは、図１に示すように、化粧料を収容する化粧料用中皿２を載置する底部１０と、化粧料用中皿２と接触する保持端部１１ａ，１１ｂを有し、保持端部１１ａ，１１ｂにより化粧料用中皿２を保持する複数の保持部１１と、底部１０と保持部１１とを連結する連結部１２とを備える。
【００１０】
本発明の実施の形態に係る化粧料容器用緩衝構造体１ａにおいて、底部１０、保持部１１及び連結部１２は、図２に示すように、連続する中空部１５を有する。化粧料容器用緩衝構造体１ａは、底部１０、保持部１１及び連結部１２に連続する中空部１５を有することで、適度な弾性（弾力性）を有することになり、これにより高い緩衝効果を享受できる。
化粧料容器用緩衝構造体１ａの外形は、後述する化粧料容器３の化粧料容器用緩衝構造体１ａを収容する収容部３１の内径よりもわずかに大きく設計することが好ましく、化粧料容器用緩衝構造体１ａは、底部１０、保持部１１及び連結部１２に連続する中空部１５を有することで、化粧料容器（コンパクトケース）に化粧料容器用緩衝構造体１ａをセットする際は圧入により固定することができるため、セット作業性が良好となる。また、化粧料容器用緩衝構造体１ａの外形は、化粧料容器３の化粧料容器用緩衝構造体１ａを収容する収容部３１の内径よりもわずかに大きく設計することで、化粧料容器の収容部に嵌め込まれた（圧入された）化粧料容器用緩衝構造体１ａの保持部１１は、化粧料用中皿２を保持する方向へ撓むので、化粧料容器用緩衝構造体１ａは化粧料用中皿２を良好に保持することができる。
【００１１】
化粧料容器用緩衝構造体１ａが透明又は半透明の場合には、化粧料容器の美感等の意匠性を高めることができるという観点から、中空部１５に液体及び／又は粉粒体が封入されていることが好ましい。
液体としては、美感等の意匠性を高める観点から着色液体が好ましく挙げられ、粉粒体としては、着色粉粒体、ビーズ等様々なものが好ましく挙げられる。特に、色の異なる２種以上のビーズを封入すると色の変化を楽しむことができて好ましい。また、色の異なる２種以上のビーズが色ごとに大きさに変化があると変化に富む色彩を楽しむことができるのでさらに好ましい。
更には、保冷剤等の機能性のある液体を封入することにより、様々なタイプの化粧料や使用方法に対応することができる。
【００１２】
保持部１１は、連結部１２を介して底部１０の周上に間隔を空けて、複数設けられている。保持部１１が底部１０の周上に間隔を空けて設けられていることで、間隔を利用して把持しやすいため、化粧料容器に化粧料容器用緩衝構造体１ａをセットしたり、化粧料容器から化粧料容器用緩衝構造体１ａを取り出したりすることが容易である。
【００１３】
保持部１１は、１つの保持端部１１ａを有する、又は両端に２つの保持端部１１ａ，１１ｂを有することが好ましい。複数の保持部１１が１つ又は２つの保持端部を有することで、複数の箇所で化粧料用中皿２と接触することができるので、化粧料用中皿２を安定して保持することができる。
保持部１１は、安定した化粧料用中皿２の保持性や緩衝効果の観点から、図３（ａ）〜（ｅ）に示すように、保持部１１が１つの保持端部１１ａを有する場合は、底部１０の中心Ｏと保持部１１（保持端部１１ａ）の中心を通る中心線Ｃ1に対して左右対称となる位置に他の保持部１１（保持端部１１ａ）が配置されていることが好ましい。保持部１１の有する保持端部１１ａが１つである場合、保持部１１は３個以上１２個以下であることが好ましく、３個以上８個以下であることがより好ましい。図３（ａ）は保持部１１が８つであり保持端部１１ａが８つの場合であり、図３（ｂ）は保持部１１が６つであり保持端部１１ａが６つの場合であり、図３（ｃ）は保持部１１が４つであり保持端部１１ａが４つの場合であり、図３（ｄ）は保持部１１が５つであり保持端部１１ａが５つの場合であり、図３（ｅ）は保持部１１が３つであり保持端部１１ａが３つの場合である。
また、保持部１１は、安定した化粧料用中皿２の保持性や緩衝効果の観点から、図４（ａ）〜（ｃ）に示すように、保持部１１が２つの保持端部１１ａ，１１ｂを有する場合は、底部１０の中心Ｏと保持部１１の中心を通る中心線Ｃ2に対して左右対称となる位置に他の保持部１１が配置されていることが好ましい。保持部１１の有する保持端部１１ａ，１１ｂが両端に２つである場合、保持部１１は２個以上６個以下であることが好ましく、２個以上４個以下であることがより好ましい。図４（ａ）は保持部１１が４つであり保持端部１１ａ，１１ｂが８つの場合であり、図４（ｂ）は保持部１１が３つであり保持端部１１ａ，１１ｂが６つの場合であり、図４（ｃ）は保持部１１が２つであり保持端部１１ａ，１１ｂが４つの場合である。
【００１４】
保持端部１１ａ，１１ｂは円筒形状であり、化粧料用中皿２と接触する面が円筒形状の曲面であることが好ましい。保持端部１１ａ，１１ｂの化粧料用中皿２と接触する面が円筒形状の曲面であることで、化粧料用中皿２と接触する面積を低減させることができるので、化粧料容器に衝撃が与えられた場合に、化粧料用中皿２に伝達される衝撃を低減させることができる。
【００１５】
保持端部１１ａ，１１ｂは、図５に示すように、化粧料用中皿２を底部１０に載置した際に、化粧料用中皿２の壁面２１の上下方向に突出することが好ましい。保持端部１１ａ，１１ｂが化粧料用中皿２の壁面２１の上下方向に突出することで、側面方向からの衝撃に対して安定的に衝撃を吸収できる。
【００１６】
保持端部１１ａ，１１ｂは、図６に示すように、化粧料用中皿２の壁面上端２１ａを押し留める爪状の返し部１３が設けられていることが好ましい。保持端部１１ａ，１１ｂに返し部１３が設けられていることで、化粧料用中皿２が傾こうとする動きを返し部１３によって抑制することができるので、化粧料用中皿２を安定して保持することができる。また、保持端部１１ａ，１１ｂに返し部１３が設けられていることで、化粧料用中皿２を底部１０に載置した際のホールド性を向上させることができる。
【００１７】
底部１０の周方向における連結部１２の幅ｄは、ブロー成形時の成形性及び緩衝効果の観点から、２．０ｍｍ以上２０．０ｍｍ以下であることが好ましく、２．５ｍｍ以上１０．０ｍｍ以下であることがより好ましい。底部１０の周方向における連結部１２の幅ｄとは、図７に示すように、底部１０の周方向に延伸する連結部１２の幅をいう。
【００１８】
底部１０と化粧料用中皿２の底面２０は、図８に示すように、相似形状であって、化粧料用中皿２の底面２０の外周からの底部１０の外周のオフセット量ｖが０．５ｍｍ以上５．０ｍｍ以下であることが好ましい。底部１０と化粧料用中皿２の底面２０が、相似形状であり、かつ、化粧料用中皿２の底面２０の外周からの底部１０の外周のオフセット量ｖが０．５ｍｍ以上５．０ｍｍ以下であることで、化粧料用中皿２を安定して底部１０上に載置することができ、さらに底部１０から化粧料用中皿２に伝達される衝撃を効率よく低減させることができる。化粧料用中皿２の底面２０の外周からの底部１０の外周のオフセット量ｖは、１．０ｍｍ以上４．５ｍｍ以下であることがより好ましく、１．５ｍｍ以上４．０ｍｍ以下であることがさらに好ましい。
【００１９】
化粧料用中皿２の底面２０と壁面２１でなす角部２２は、図５及び図６で示すように、化粧料用中皿２を底部１０に載置した際に、底部１０、保持端部１１ａ，１１ｂを除く保持部１１及び連結部１２のいずれとも接触しないことが好ましい。化粧料用中皿２の角部２２が化粧料用中皿２を底部１０に載置した際に、底部１０、保持端部１１ａ，１１ｂを除く保持部１１及び連結部１２のいずれとも接触しないことで、化粧料用中皿２に伝達した衝撃を逃がすことができ、化粧料用中皿２に収容する化粧料にひび割れが生じたり、欠けたりする破損を防ぐことができる。また、化粧料用中皿２の角部２２が化粧料用中皿２を底部１０に載置した際に、底部１０、持端部１１ａ，１１ｂを除く保持部１１及び連結部１２のいずれとも接触しないことで、化粧料用中皿２を設置する際の裕度が大きく、セット作業性がさらに良好となるので好ましい。
【００２０】
底部１０には、図９（ａ）及び（ｂ）に示すように、底部１０を連通する連通孔１４が設けられていることが好ましい。連通孔１４は、図９（ｂ）に示すように、壁面により閉ざされているので、中空部１５の支柱としての機能を発揮する。連通孔１４を設けることにより、化粧料容器３から化粧料用中皿２を取り外し易くなるという効果を奏すると共に、支柱の機能により化粧料用中皿２及び化粧料の重さで緩衝構造体がたわみ中空部分が少なくなってしまうことが起こりにくく、常に高い緩衝効果を発揮することができる。
連通孔１４は、底部１０の面において均等に分布していることが好ましく、その数は支柱としての効果と一定以上の中空部分を残存させておくという両方の観点から、１個以上１６個未満であることが好ましく、３個以上８個未満であることがより好ましい。
連通孔１４の断面形状は、真円であることが好ましいが、楕円や三角形、四角形、五角形、六角形等の多角形、デザイン性を考慮した星型、ハート型であってもよい。
【００２１】
化粧料容器用緩衝構造体１ａの材料の硬度は、ハンドリング及びセット作業性が良好となり、外部からの衝撃に対する緩衝効果を有するという観点から、デュロメータ硬度（ＪＩＳ Ｋ６２５３−３）で、Ａ６０以上Ａ７５以下であることが好ましく、Ａ６５以上Ａ７０以下であることがより好ましい。デュロメータ硬度でＡ６０より低いと柔らかすぎて、ハンドリング及びセット作業性が低下してしまい、Ａ７５より大きいと硬すぎて、外部からの衝撃に対する緩衝効果が得られない。
【００２２】
底部１０、保持部１１及び連結部１２の材料は、同一の材料で一体成形されていると経済性が高く好ましい。この観点から、化粧料容器用緩衝構造体１ａは、熱可塑性樹脂のブロー成形により製造することが好ましい。用いられる熱可塑性樹脂としては、ポリオレフィン系樹脂（ポリエチレン樹脂、ポリプロピレン樹脂等）、ポリオレフィン系の熱可塑性エラストマー、ポリアミド系樹脂（ナイロン等）、ポリエステル系樹脂（ポリエチレンテレフタート、ポリブチレンテレフタート等）、軟質塩化ビニル樹脂、アイオノマー樹脂等の単体またはそれらの２以上のブレンド体であり、また、それらと充填材（シリカ、カーボンファイバー、炭酸カルシウム、タルク、マイカ等）のブレンド体等が挙げられ、これらのうち、ポリオレフィン系樹脂（ポリエチレン樹脂、ポリプロピレン樹脂等）及びポリオレフィン系の熱可塑性エラストマーがブロー成形し易さの観点から好ましい。
【００２３】
（化粧料容器）
本発明の実施の形態に係る化粧料容器３は、図１０に示すように、化粧料容器用緩衝構造体１ａを収容する収容部３１と、収容部３１の開閉を行う蓋部３２とを備える。
化粧料容器３は、化粧料容器用緩衝構造体１ａのセット作業性を向上する観点から、化粧料容器用緩衝構造体１ａの底部１０が収容部３１の底面と当接し、保持部１１が収容部３１の内側面と当接することが好ましい。
なお、化粧料容器３は、蓋部３２に、所望により鏡３３を設けてもよい。
【００２４】
本発明の実施の形態に係る化粧料容器３は、化粧料容器用緩衝構造体１ａが収容部３１から脱着可能であることが好ましい。化粧料容器用緩衝構造体１ａを脱着可能とすることにより、レフィル容器としても使用が可能となる。化粧料容器用緩衝構造体１ａが収容部３１から脱着可能とするためには、圧入によりセットすることが好ましい。化粧料容器用緩衝構造体１ａを固定する場合は、接着剤を用いてもよいし、両面テープ等を用いてもよい。
【００２５】
化粧料容器用緩衝構造体１ａが収容部３１から脱着可能とするための一例として、収容部３１に収容可能であり、化粧料容器用緩衝構造体１ａを固定することが可能である図１１に示すようなアダプタ４０を用いる手段が挙げられる。化粧料容器３から着脱が容易であるアダプタ４０を用いることによって、化粧料容器３から化粧料容器用緩衝構造体１ａを容易に着脱することができる。
アダプタ４０は、保持部１１及び連結部１２とそれぞれ嵌め合わせることで化粧料容器用緩衝構造体１ａを固定することが可能な固定部４１及び屋根部４２を備える。化粧料容器用緩衝構造体１ａの連結部１２が固定部４１に接し、保持部１１の上端部が屋根部４２に接して、保持部１１を嵌めるようにしてアダプタ４０に固定される。したがって、化粧料容器用緩衝構造体１ａの保持部１１の高さは、アダプタ４０の固定部４１から屋根部４２までの高さよりもわずかに大きく設計することが好ましく、化粧料容器用緩衝構造体１ａは、底部１０、保持部１１及び連結部１２に連続する中空部１５を有することで、アダプタ４０に化粧料容器用緩衝構造体１ａをセットする際は圧入により固定することができるため、セット作業性が良好となる。特に化粧料容器用緩衝構造体１ａがブロー成形によるものであれば、圧入による固定の点で有利となる。
また、アダプタ４０の上面には、保持部１１及び連結部１２を覆い隠すことが可能な屋根部４２が設けられていることが好ましい。屋根部４２が設けられていることによって、上方から見た際に、化粧料容器用緩衝構造体１ａ（保持部１１、連結部１２）を視認させないようにすることができるので、美観の欠乏を防ぐことができる。
なお、アダプタ４０は、化粧料容器３の一部として一体に成形されていてもよい。
【００２６】
アダプタ４０を用いる着脱方法について、図１１を参照しながら説明する。
まず、図１１（ａ）に示すように、アダプタ４０の裏側から化粧料容器用緩衝構造体１ａを充填する。次いで、図１１（ｂ）に示すように、アダプタ４０内で化粧料容器用緩衝構造体１ａを回転させる。回転させた結果、図１１（ｃ）に示すように、化粧料容器用緩衝構造体１ａの連結部１２が固定部４１に乗り上げるように嵌め合わさり、アダプタ４０に化粧料容器用緩衝構造体１ａが固定される。
逆工程を行うことで、アダプタ４０から化粧料容器用緩衝構造体１ａを容易に取り外すことができる。
【００２７】
上述したように、化粧料容器用緩衝構造体１ａは、化粧料容器３から脱着可能とすることで、化粧料容器用緩衝構造体１ａをレフィル容器としての使用が可能である。通常は、移動時の衝撃等から化粧料を守るため、レフィル容器として真空成形体を別途用意し、粘着剤を用いて化粧料用中皿２と真空成形体を固定した形で流通、販売され、購入者が化粧料用中皿２を取り出し、化粧料容器３の収容部３１に装着することにより使用するが、その真空成形体に替えて化粧料容器用緩衝構造体１ａを使用し、化粧料用中皿２と化粧料容器用緩衝構造体１ａとを一体としたままで化粧料容器３の収容部３１に装着することにより、取り外す手間が省かれ、また無駄な真空成形体も発生しない。
化粧料用中皿２と化粧料容器用緩衝構造体１ａとを一体で流通させて取り替える場合は、化粧料容器用緩衝構造体１ａを収容部３１から脱着することが必要となるので、この観点からも、本発明の化粧料容器３は、化粧料容器用緩衝構造体１ａが収容部３１から脱着可能であることが好ましい。
【００２８】
（化粧料容器用緩衝構造体の製造方法）
本発明の実施の形態に係る化粧料容器用緩衝構造体１ａの製造方法は、本発明の化粧料容器用緩衝構造体１ａをブロー成形により形成することを特徴とする。本発明の化粧料容器用緩衝構造体１ａをブロー成形などにより、一体成形することにより、複雑な形状である保持部１１及び連結部１２を容易に設けることができる。
本発明の化粧料容器用緩衝構造体１ａがブロー成形品であれば、ある程度の剛性を有するので化粧料容器３へのセット作業性がさらに向上する。本発明に係る中空部１５は、ブロー成形により簡便に形成することができる。
【００２９】
本発明に係るブロー成形法は、ダイレクトブロー成形法と２軸延伸ブロー（ストレッチブロー）成形法のいずれの方法でもよいが、簡便に製造する観点より、ダイレクトブロー成形法が好ましい。
以下に、化粧料容器用緩衝構造体の製造方法を工程順に説明する。
（１）第１工程
溶けた熱可塑性樹脂をシリンダーからチューブ状に押出し、弱い空気を入れてプリブローして袋状の溶融パリソンを形成する。
（２）第２工程
上記の溶融パリソンを金型で挟んで高圧空気を吹込み、溶融パリソンを金型の中いっぱいに膨らませて、化粧料容器用緩衝構造体１ａの形状にする。
（３）第３工程
化粧料容器用緩衝構造体１ａが冷えて固まったら、金型を開いて取り出す。
以上のように、本発明の化粧料容器用緩衝構造体１ａはブロー成形により効率的に製造することができる。
【００３０】
（その他の実施の形態）
上記のように、本発明は実施の形態によって記載したが、この開示の一部をなす記述及び図面はこの発明を限定するものであると理解するべきではない。この開示から当業者には様々な代替実施の形態、実施例及び運用技術が明らかになるはずである。
【００３１】
例えば、実施の形態において、底部１０が円形の化粧料容器用緩衝構造体１ａを示したが、底部１０は円形に限られず、図１２（ａ）に示すような底部１０が矩形の化粧料容器用緩衝構造体１ｂであっても構わない。底部１０の形状は、化粧料容器３に収容するという観点から、化粧料容器３の収容部３１に合わせた形状であることが好ましい。
また、実施の形態において、保持部１１が４つである化粧料容器用緩衝構造体１ａを示したが、保持部１１の個数は特に限られず、図１２（ｂ）に示すような６つの保持部１１を有する化粧料容器用緩衝構造体１ｃであっても構わない。保持部１１は、化粧料用中皿２を保持し得る個数であれば、いくつであっても構わない。
上述の図１２（ａ）及び図１２（ｂ）に示した形態を踏まえて、図１２（ｃ）に示すように、底部１０が矩形であって、６つの保持部１１を有する化粧料容器用緩衝構造体１ｄとすることも可能である。
【００３２】
このように、本発明はここでは記載していない様々な実施の形態等を包含するということを理解すべきである。
【００３３】
上述した実施形態に関し、本発明はさらに以下の態様を開示する。
【００３４】
本発明は下記＜１＞に記載の化粧料容器用緩衝構造体に係るものである。
【００３５】
＜１＞化粧料を収容する化粧料用中皿を載置する底部と、該化粧料用中皿と接触する保持端部を有し、該保持端部により該化粧料用中皿を保持する複数の保持部と、該底部と該保持部とを連結する連結部とを備え、該底部、該保持部及び該連結部は、連続する中空部を有する化粧料容器用緩衝構造体。
【００３６】
本発明は、更に以下の化粧料容器用緩衝構造体に係るものであることが好ましい。
【００３７】
＜２＞保持部は、１つ又は２つの保持端部を有する、前記＜１＞に記載の化粧料容器用緩衝構造体。
＜３＞保持端部は円筒形状であり、化粧料用中皿と接触する面が円筒形状の曲面である、前記＜１＞又は＜２＞に記載の化粧料容器用緩衝構造体。
＜４＞保持端部は、化粧料用中皿を底部に載置した際に、化粧料用中皿の壁面の上下方向に突出する、前記＜１＞〜＜３＞のいずれかに記載の化粧料容器用緩衝構造体。
＜５＞保持端部は、化粧料用中皿の壁面上端を押し留める爪状の返し部が設けられている、前記＜１＞〜＜４＞のいずれかに記載の化粧料容器用緩衝構造体。
＜６＞保持部は、保持部が１つの保持端部を有する場合、底部の中心と保持端部の中心を通る中心線に対して左右対称となる位置に配置される、前記＜１＞〜＜５＞のいずれかに記載の化粧料容器用緩衝構造体。
＜７＞保持部の有する保持端部が１つである場合、保持部は３個以上であって１２個以下であり、より好ましくは３個以上であって８個以下である、前記＜１＞〜＜６＞のいずれかに記載の化粧料容器用緩衝構造体。
＜８＞保持部は、保持部が２つの保持端部を有する場合、底部の中心と保持部の中心を通る中心線に対して左右対称となる位置に配置される、前記＜１＞〜＜５＞のいずれかに記載の化粧料容器用緩衝構造体。
＜９＞保持部の有する保持端部が２つである場合、保持部は２個以上であって６個以下であり、より好ましくは２個以上であって４個以下である、前記＜１＞〜＜５＞、＜８＞のいずれかに記載の化粧料容器用緩衝構造体。
＜１０＞保持部の両端に２つの保持端部を有する、前記＜１＞〜＜５＞、＜８＞、＜９＞のいずれかに記載の化粧料容器用緩衝構造体。
＜１１＞保持部が底部の周上に間隔を空けて設けられている、前記＜１＞〜＜１０＞のいずれかに記載の化粧料容器用緩衝構造体。
＜１２＞底部の周方向における連結部の幅は、２．０ｍｍ以上であって２０．０ｍｍ以下であり、より好ましくは２．５ｍｍ以上であって１０．０ｍｍ以下である、前記＜１＞〜＜１１＞のいずれかに記載の化粧料容器用緩衝構造体。
＜１３＞底部と化粧料用中皿の底面は相似形状であって、化粧料用中皿の底面の外周からの底部の外周のオフセット量が０．５ｍｍ以上であって５．０ｍｍ以下であり、より好ましくは１．０ｍｍ以上であって４．５ｍｍ以下であり、さらに好ましくは１．５ｍｍ以上であって４．０ｍｍ以下である、前記＜１＞〜＜１２＞のいずれかに記載の化粧料容器用緩衝構造体。
＜１４＞化粧料用中皿の底面と壁面でなす角部は、化粧料用中皿を底部に載置した際に、底部、保持端部を除く保持部及び連結部のいずれとも接触しない、前記＜１＞〜＜１３＞のいずれかに記載の化粧料容器用緩衝構造体。
＜１５＞底部には、底部を連通する連通孔が設けられている、前記＜１＞〜＜１４＞のいずれかに記載の化粧料容器用緩衝構造体。
＜１６＞連通孔は、底部の面において均等に分布している、前記＜１５＞に記載の化粧料容器用緩衝構造体。
＜１７＞連通孔が壁面により閉ざされている、前記＜１５＞又は＜１６＞に記載の化粧料容器用緩衝構造体。
＜１８＞連通孔は１個以上であって１６個未満であり、より好ましくは３個以上であって８個未満である、前記＜１５＞〜＜１７＞のいずれかに記載の化粧料容器用緩衝構造体。
＜１９＞連通孔の断面形状は、真円、楕円、三角形、四角形、五角形、六角形、星型、ハート型のいずれかである、前記＜１５＞〜＜１８＞のいずれかに記載の化粧料容器用緩衝構造体。
＜２０＞中空部には、液体及び／又は粉粒体が封入されている、前記＜１＞〜＜１９＞のいずれかに記載の化粧料容器用緩衝構造体。
＜２１＞化粧料容器用緩衝構造体の材料の硬度は、デュロメータ硬度（ＪＩＳ Ｋ６２５３−３）で、Ａ６０以上であってＡ７５以下であり、より好ましくはＡ６５以上であってＡ７０以下である、前記＜１＞〜＜２０＞のいずれかに記載の化粧料容器用緩衝構造体。
＜２２＞底部、保持部及び連結部は、同一材料である、前記＜１＞〜＜２１＞のいずれかに記載の化粧料容器用緩衝構造体。
＜２３＞化粧料容器用緩衝構造体はポリオレフィン樹脂又はポリオレフィン系熱可塑性エラストマーによって成形される、前記＜１＞〜＜２２＞のいずれかに記載の化粧料容器用緩衝構造体。
＜２４＞化粧料容器用緩衝構造体の外形は、化粧料容器の化粧料容器用緩衝構造体を収容する収容部の内径よりもわずかに大きい、前記＜１＞〜＜２３＞のいずれかに記載の化粧料容器用緩衝構造体。
＜２５＞化粧料容器用緩衝構造体の底部が化粧料容器の化粧料容器用緩衝構造体を収容する収容部の底面と当接し、保持部が収容部の内側面と当接する、前記＜１＞〜＜２４＞のいずれかに記載の化粧料容器用緩衝構造体。
＜２６＞底部が矩形である、前記＜１＞〜＜２５＞のいずれかに記載の化粧料容器用緩衝構造体。
＜２７＞底部が円形である、前記＜１＞〜＜２５＞のいずれかに記載の化粧料容器用緩衝構造体。
＜２８＞化粧料容器の化粧料容器用緩衝構造体を収容する収容部から脱着可能である、前記＜１＞〜＜１３＞のいずれかに記載の化粧料容器用緩衝構造体。
＜２９＞前記＜１＞〜＜２８＞のいずれかに記載の化粧料容器用緩衝構造体を収容する収容部と、収容部の開閉を行う蓋部とを備える化粧料容器。
＜３０＞前記＜１＞〜＜２８＞のいずれかに記載の化粧料容器用緩衝構造体をブロー成形により製造する化粧料容器用緩衝構造体の製造方法。
＜３１＞前記＜３０＞の製造方法がダイレクトブロー成形である、化粧料容器用緩衝構造体の製造方法。
＜３２＞前記＜１＞〜＜２８＞のいずれかに記載の化粧料容器用緩衝構造体の保持部及び／又は連結部を嵌め合わせることにより、化粧料容器用緩衝構造を固定することが可能な固定部と屋根部を備えた、アダプタ。
＜３３＞化粧料容器の一部として一体に成形されている、前記＜３２＞に記載のアダプタ。
＜３４＞前記＜１＞〜＜２５＞、＜２７＞、＜２８＞のいずれかに記載の化粧料容器用緩衝構造体の保持部及び／又は連結部を回転させて嵌めこむことにより化粧料容器の化粧料容器用緩衝構造体を収容する収容部に固定する、化粧料容器用緩衝構造体の固定方法。
＜３５＞前記＜１＞〜＜２８＞のいずれかに記載の化粧料容器用緩衝構造体化粧料容器用緩衝構造体をレフィル容器としての使用する使用方法。
【産業上の利用可能性】
【００３８】
本発明の化粧料容器用緩衝構造体及びそれを用いた化粧料容器は、固形粉末化粧料（パウダーファンデーション、アイシャドゥ、アイブロウ、アイライナー、頬紅等）の化粧料容器等の各種化粧料容器に好適に用いられる。
【符号の説明】
【００３９】
１ａ〜１ｄ…化粧料容器用緩衝構造体
１０…底部
１１…保持部
１１ａ、１１ｂ…保持端部
１２…連結部
１３…返し部
１４…連通孔
１５…中空部
２…化粧料用中皿
２０…底面
２１…壁面
２１ａ…壁面上端
２２…角部
３…化粧料容器
３１…収容部
３２…蓋部
３３…鏡
４０…アダプタ
４１…固定部
４２…屋根部
【図１】
2015126824.tif 000003
【図２】
2015126824.tif 000004
【図３】
2015126824.tif 000005
【図４】
2015126824.tif 000006
【図５】
2015126824.tif 000007
【図６】
2015126824.tif 000008
【図７】
2015126824.tif 000009
【図８】
2015126824.tif 000010
【図９】
2015126824.tif 000011
【図１０】
2015126824.tif 000012
【図１１】
2015126824.tif 000013
【図１２】
2015126824.tif 000014